(57)【特許請求の範囲】
【請求項１】
ランプと、前記ランプの発光中心を通る軸心線を有し前記ランプの発光中心よりも後方側に配置されて前記ランプの後方への光を透過する筒状の透光部と、この透光部の前端に連接された筒状であり前記ランプ光の前方に直角な方向に近い方向の光を前方に反射する第１の配光制御部と、前記ランプの発光中心を通る軸心線を有しかつ中央穴を有する逆皿形であって前記透光部の内側で前記発光中心よりも後方に配置されて前記ランプの光の一部を前方に反射するとともに前記中央穴を前記透光部に光を通す通光部とした第２の配光制御部とを備えた照明器具。
【請求項２】
ランプと、このランプの周囲に配置された筒状の透光部と、この透光部の内側に配置されて前記ランプの光の一部を前方へ放射する配光制御部とを備え、
前記配光制御部は、透光部内のランプの発光中心の後側に配置されてランプ光を器具直下の周辺に反射する逆皿形の第１の反射板と、外径が前記第１の反射板よりも小さく前記第１の反射板の前側でかつランプの発光中心の後側に配置されて前記ランプ光を器具直下に反射する逆わん形の第２の反射板とを有し、前記第１の反射板の反射光の一部が前記第２の反射板の外面で反射して前記透光部を透過する照明器具。
【請求項３】
前記透光部はプリズム状拡散部を有する請求項１または請求項２記載の照明器具。
【発明の詳細な説明】
【０００１】
【産業上の利用分野】
この発明は、店舗の食料品売場などの平台の照明（演色）等に適用される照明器具に関するものである。
【０００２】
【従来の技術】
従来例を図５ないし図８に示す。すなわち、第１の従来例は、図５に示すようにランプ７０をアルミセード７１で覆ったもの、第２の従来例は図６に示すようにランプ７０をアルミセード７１で覆うとともにランプ７０の前方にルーバ７２を設けたもの、第３の従来例は図７に示すようにランプ７０をガラスまたはアクリル等の透明のセード７３で覆ったものである。図８に示す第４の従来例は第３の従来例と同様であるが、図７のチエーン７５でなく、吊りパイプ７４で吊っている。
【０００３】
【発明が解決しようとする課題】
しかし、第１の従来例は、ランプ７０の前方の配光制御を重視するものであり、アルミセード７１の周囲の光のきらめきによる雰囲気の向上は得られない。第２の従来例は、ルーバ７２でグレアを防止しアルミセード７１により配光制御するものであるが、第１の従来例と同様の欠点がある。第３の従来例および第４の従来例は、セード７３を透過したランプ７０からの直射光により光のきらめきによる雰囲気の向上を得ることができるが、ランプ７０の前方の配光制御は特別に行なっていないため、輝度の高いランプ７０を使用すると、照明器具の位置によってはグレアを感じるという欠点がある。
【０００４】
したがって、この発明の目的は、ランプの前方の配光制御が得られるとともに、ランプの周囲の雰囲気を向上できる照明器具を提供することである。
【０００５】
【課題を解決するための手段】
請求項１の照明装置は、ランプと、前記ランプの発光中心を通る軸心線を有し前記ランプの発光中心よりも後方側に配置されて前記ランプの後方への光を透過する筒状の透光部と、この透光部の前端に連接された筒状であり前記ランプ光の前方に直角な方向に近い方向の光を前方に反射する第１の配光制御部と、前記ランプの発光中心を通る軸心線を有しかつ中央穴を有する逆皿形であって前記透光部の内側で前記発光中心よりも後方に配置されて前記ランプの光の一部を前方に反射するとともに前記中央穴を前記透光部に光を通す通光部とした第２の配光制御部とを備えたものである。
【０００６】
請求項２の照明器具は、ランプと、このランプの周囲に配置された筒状の透光部と、この透光部の内側に配置されて前記ランプの光の一部を前方へ放射する配光制御部とを備え、
前記配光制御部は、透光部内のランプの発光中心の後側に配置されてランプ光を器具直下の周辺に反射する逆皿形の第１の反射板と、外径が前記第１の反射板よりも小さく前記第１の反射板の前側でかつランプの発光中心の後側に配置されて前記ランプ光を器具直下に反射する逆わん形の第２の反射板とを有し、前記第１の反射板の反射光の一部が前記第２の反射板の外面で反射して前記透光部を透過する照明器具。
請求項３の照明器具は、請求項１または請求項２において、前記透光部はプリズム状拡散部を有するものである。
【０００７】
【作用】
請求項１の照明器具によれば、ランプ光の一部が配光制御部に制御されてランプの前方への配光が制御されるとともに、ランプ光の残部が透光部を透過してランプの側方ないし後方に光を放射する。このため、透光部によりランプの周囲の雰囲気を得ることができるとともに、配光制御部によりランプの前方の配光を得ることができ、しかも器具効率を高くすることが可能となる。
【０００８】
とくに、第２の配光制御部の通光部を通る光が透光部を透過するとともに、第２の配光制御部および第１の配光制御部を反射した光がランプの前方への配光を制御する。このため、透光部より透過するグレアを感じさせない程度の透過光によりランプの周囲の雰囲気を得ることができるとともに、第１の配光制御部および第２の配光制御部によりランプの前方に十分な配光を得ることができ、配光制御が容易になり特に中落ち現象（ランプの直下の部分の照度が暗くなる現象）の防止が容易にでき、しかも器具効率を著しく向上することができる。また店舗照明の際にもっとも外部衝撃を受ける部分がアルミセード等の第１の配光制御部のため、器具衝撃をやわらげることができ安全である。さらに第２の配光制御部の形状を変えることにより、同じ外観形状でありながら、配光パターンを変えることができる。また器具の取付状態で視野に入らない範囲に第２の配光制御部を位置した場合、外観も良好となる。さらに第１の配光制御部および第２の配光制御部によりランプソケットおよび内蔵物が覗きにくくなる点でも外観がよくなる。また配光制御手段の全体をガラスセードにするよりも軽量化が可能になる。
【０００９】
請求項２の照明器具によれば、ランプの光が透光部を透過してランプの周囲の雰囲気を得ることができるとともに、透光部内の配光制御部によりランプ光の一部でランプの前方への配光を制御するため、ランプの前方の配光制御が容易になる。この場合、配光制御部を複数設けるとグレアを抑え、透光部を明るくできるとともに、配光制御を含めてむらをやわらげることができる。また配光制御部によりランプの高輝度の直接光を透光部に対してカットするとともに、ランプの前方への配光制御を幅広いビーム角として行うこともできる。
【００１０】
請求項３の照明器具によれば、請求項１または請求項２において、前記透光部がプリズム状拡散部を有するため、請求項１または請求項２の作用のほか、透光部を透過する光はプリズム状に拡散するので、透光部の周囲はきらめき感のある雰囲気が得られ、視認性の高い器具が実現できる。またプリズム状拡散部により透光部の内部が見えにくくなり、取付状態において視野内に透光部の内側の部品が見えないため外観意匠を崩さない。
【００１１】
【実施例】
この発明の第１の実施例を図１ないし図３により説明する。すなわち、この照明器具は、ランプ１と、配光制御手段２とを有する。
ランプ１は、高輝度放電灯（ＨＩＤ）であるがクリアのバルブよりもフロストのバルブが好ましい。また器具本体３に設けたソケット台３９のランプソケット４に装着されている。２８はランプ１の発光管の発光中心である。器具本体３は、天井吊り下げのペンダント方式であり、天井３０の一体フランジ５、６にチェーン７の上端部を設け、チェーン７の下端部に器具本体３を取付けている。また一体フランジ６から器具本体３のランプソケット４にコード８を接続している。１２は本体カバー、２７はアイボルトである。
【００１２】
配光制御手段２は、ランプ１の周囲に配置されてランプ１の前方への配光を制御する第１の配光制御部１０および第２の配光制御部２５を有するとともに、ランプ１の前方以外へ光を透過する透光部９を有する。
透光部９はランプ１の発光中心２８よりも後方側に配置されてランプ１の後方への光を透過する。実施例ではガラスまたはアクリル製の筒状のラッパ形であり、後端の首部３７が器具本体３の受け部３８に嵌合係止し、本体カバー１２により押え固定されている。また透光部９の前端に外つば１４を有し、外つば１４に凹部１５を形成している。さらに透光部９は外周面に略プリズム状拡散部１１を有し、実施例の略プリズム状拡散部１１は、透光部９の外周面に放射状に形成した凸条であるリブにより形成している。これは、たとえば透明の硬質ガラスの表面をプレス成形することにより形成する。
【００１３】
第１の配光制御部１０は、透光部９の前端に連接されてランプ１の前方への配光を制御する。実施例は反射板の機能を有する筒状のアルミニウム製のセードであり、内面に白色塗装を施している。また後端部に内つば１３を設け、内つば１３を透光部９の外つば１４の凹部１５に係止して連結している。
第２の配光制御部２５は透光部９の内側でランプ１の発光中心２８よりも後方に配置され、ランプ１の光の一部を前方に反射するとともに透光部９に光を通す通光部２６を有する。実施例の第２の配光制御部２５は内表面に白色塗装を施した略逆皿形の補助反射板で中央穴を通光部２６としてその中心にランプ１を挿通している。この第２の配光制御部２５の好ましい位置は、たとえば後述の図３に示す設置状態において、透光部９の内側で視野に入りにくい範囲であるが、実施例では第１の配光制御部１０と透光部９との境界の位置に配置している。また第２の配光制御部２５の取付けは、器具本体３の受け部３８やソケット台３９より支柱（図示せず）を２本ないし３本垂下し、第２の配光制御部２５を支柱にねじ止めする。そして支柱はアルミニウム色ないしクロム色のようなもので、略プリズム状拡散部１１によるきらめき感のある光でごまかせやすい表面仕上げをする。
【００１４】
また図１に示すように、第２の配光制御部２５によりランプ１の発光中心２８を遮る範囲を細線矢印４１，４２により示しているが、この範囲は丁度透光部９の下端側の第１の配光制御部１０に連続する部分であり、器具の高さが多少低くなってもグレアが目にとどかないようになっている。
図３は、実際に店舗に照明器具を設置した例であり、１７は床、１８は約０．８ｍの高さの品物置き台であり、照明器具はその上方約１〜１．５ｍの高さに吊り下げている。１９は人である。この図３に示すように人１９から照明器具の外面に現れる配光制御手段２を見る際に丁度ランプ１が第１の配光制御部１０に遮られてグレアが防止される。
【００１５】
この実施例によれば、ランプ光の一部が第１の配光制御部１０および第２の配光制御部２５に制御されてランプ１の前方への配光が制御されるとともに、ランプ光の残部が透光部９を透過してランプ１の側方ないし後方に光を放射する。このため、透光部９によりランプ１の周囲の雰囲気を得ることができるとともに、第１の配光制御部１０および第２の配光制御部２５によりランプ１の前方の配光を得ることができ、しかも器具効率を高くすることが可能となる。
【００１６】
また、第２の配光制御部２５の通光部２６を通る光が透光部９を透過するとともに、第２の配光制御部２５および第１の配光制御部１０を反射した光がランプ１の前方への配光を制御する。このため、透光部９より透過するグレアを感じさせない程度の透過光によりランプ１の周囲の雰囲気を得ることができるとともに、第１の配光制御部１０および第２の配光制御部２５によりランプ１の前方に十分な配光を得ることができ、配光制御が容易になり特に中落ち現象（ランプの直下の部分の照度が暗くなる現象）の防止が容易にでき、しかも器具効率を著しく向上することができる。また店舗照明の際にもっとも外部衝撃を受ける部分がアルミセード等の第１の配光制御部１０のため、器具衝撃をやわらげることができ安全である。さらに第２の配光制御部２５の形状を変えることにより、同じ外観形状でありながら、配光パターンを変えることができる。また器具の取付状態で視野に入らない範囲に第２の配光制御部２５を位置した場合、外観も良好となる。さらに第１の配光制御部１０および第２の配光制御部２５によりランプソケットおよび内蔵物が覗きにくくなる点でも外観がよくなる。また配光制御手段２の全体をガラスセードにするよりも軽量化が可能になる。
【００１７】
さらに、透光部９が略プリズム状拡散部１１を有するため、透光部９を透過する光はプリズム状に拡散するので、透光部９の周囲はきらめき感のある雰囲気が得られ、視認性の高い器具が実現できる。また略プリズム状拡散部１１により透光部９の内部が見えにくくなり、取付状態において視野内に透光部９の内側の部品が見えないため外観意匠を崩さない。
【００１８】
このようにして、透光部９の略プリズム状拡散部１１による光のきらめきは店舗などの部屋で照明器具のアイデンティティを主張し、空間に明るさ感を出していると同時に、大部分のコントロールされた光は照明器具の直下の品物等を照らし、明るく効率のよい照明に寄与している。
この発明の第２の実施例を図４により説明する。すなわち、この照明器具は、ランプ１と、このランプ１の周囲に配置された筒状の透光部９と、この透光部９の内側に配置されてランプ１の光の一部を前方へ放射する配光制御部２０とを備えている。
【００１９】
実施例の透光部９はラッパ形であり、その後端部が第１の実施例と同様に器具本体３に取付けられている。また第１の実施例と同様の略プリズム状拡散部１１を外周に放射状に設けて、透光部９を透過する光がきらめき感を生じるようにしている。
配光制御部２０は２枚の反射板２１，２２を実施例とし、透光部９を透過する光がグレアを感じない程度に設けている。第１の反射板は逆皿形であり、第２の反射板２２は逆わん形であり、いずれも中央にランプ１の挿通と透光部９の上方への通光を兼ねた通光部２６を形成し、かついずれもランプ１の発光中心２８の後側に配置している。また反射板２２は器具直下のあたりに光を反射し、反射板２１はそれよりも広がりのある所に光を反射するように制御している。そして、反射板２１で反射した光で正反射でないものなど反射板２２の背面にあたる光は透光部９を透過して透光部９を明るくするために利用される。またこの反射板２２は配光バランスの関係から内面は白塗装で、外面はアルミ色なとの銀色系として外観を略プリズム状拡散部１１でごまかせ易い仕上がりにするのが好ましい。図中の破線４３，４４で示した範囲は、反射板２１，２２でランプ１の発光中心２８からの直接光を遮光する範囲を示し、２点鎖線４５，４６は発光中心２８からの光で、反射板２１，２２による正反射の光路を示す。
【００２０】
この照明器具によれば、ランプ１の光が透光部９を透過してランプ１の周囲の雰囲気を得ることができるとともに、透光部９内の配光制御部２０によりランプ光の一部でランプ１の前方への配光を制御するため、ランプ１の前方の配光制御が容易になる。この場合、配光制御部２０を複数設けるとグレアを抑え、透光部９を明るくできるとともに、配光制御を含めてむらをやわらげることができる。また反射板２１，２２によりランプ１の高輝度の直接光を透光部に対してカットするとともに、ランプ１の前方への配光制御を幅広いビーム角として行うこともできる。
【００２１】
なお、透光部９の形状および反射板２１，２２の形状によっては、各反射板２１，２２の両面とも鏡面仕上がりの方が適切であったり、白色塗装が適切の場合などがある。
また、この発明において、透明部９の略プリズム状拡散部１１は外周面および内周面の一方に凹凸を有すればよく、凹凸の形状はプリズム状拡散光が得られれば任意であり、たとえば角錐，円錐，半球等が可能であり、また断面がそのような形状をなした実施例のような線状のものでもよい。さらには透明部９の肉厚内部に空隙部を形成し空隙部の形状を前記のような形状にしてプリズム状の拡散光を得るようにしてもよい。また器具本体３の吊持手段はパイプ吊り等が可能である。さらにランプ１は白熱、ハロゲンランプ等でもよい。
【００２２】
【発明の効果】
請求項１の照明器具によれば、ランプ光の一部が配光制御部に制御されてランプの前方への配光が制御されるとともに、ランプ光の残部が透光部を透過してランプの側方ないし後方に光を放射する。このため、透光部によりランプの周囲の雰囲気を得ることができるとともに、配光制御部によりランプの前方の配光を得ることができ、しかも器具効率を高くすることが可能となるという効果がある。
【００２３】
また、第２の配光制御部の通光部を通る光が透光部を透過するとともに、第２の配光制御部および第１の配光制御部を反射した光がランプの前方への配光を制御する。このため、透光部より透過するグレアを感じさせない程度の透過光によりランプの周囲の雰囲気を得ることができるとともに、第１の配光制御部および第２の配光制御部によりランプの前方に十分な配光を得ることができ、配光制御が容易になり特に中落ち現象（ランプの直下の部分の照度が暗くなる現象）の防止が容易にでき、しかも器具効率を著しく向上することができる。また店舗照明の際にもっとも外部衝撃を受ける部分がアルミセード等の第１の配光制御部のため、器具衝撃をやわらげることができ安全である。さらに第２の配光制御部の形状を変えることにより、同じ外観形状でありながら、配光パターンを変えることができる。また器具の取付状態で視野に入らない範囲に第２の配光制御部を位置した場合、外観も良好となる。さらに第１の配光制御部および第２の配光制御部によりランプソケットおよび内蔵物が覗きにくくなる点でも外観がよくなる。また配光制御手段の全体をガラスセードにするよりも軽量化が可能になる。
【００２４】
請求項２の照明器具によれば、ランプの光が透光部を透過してランプの周囲の雰囲気を得ることができるとともに、透光部内の配光制御部によりランプ光の一部でランプの前方への配光を制御するため、ランプの前方の配光制御が容易になる。この場合、配光制御部を複数設けるとグレアを抑え、透光部を明るくできるとともに、配光制御を含めてむらをやわらげることができる。また配光制御部によりランプの高輝度の直接光を透光部に対してカットするとともに、ランプの前方への配光制御を幅広いビーム角として行うこともできる。
【００２５】
請求項３の照明器具によれば、請求項１または請求項２において、前記透光部がプリズム状拡散部を有するため、請求項１または請求項２の効果のほか、透光部を透過する光はプリズム状に拡散するので、透光部の周囲はきらめき感のある雰囲気が得られ、視認性の高い器具が実現できる。またプリズム状拡散部により透光部の内部が見えにくくなり、取付状態において視野内に透光部の内側の部品が見えないため外観意匠を崩さない。
【図面の簡単な説明】
【図１】この発明の第１の実施例の破断正面図である。
【図２】全体の正面図である。
【図３】使用状態の説明図である。
【図４】第２の実施例の正面図である。
【図５】第１の従来例の半断面正面図である。
【図６】第２の従来例の正面図である。
【図７】第３の従来例の正面図である。
【図８】第４の従来例の正面図である。
【符号の説明】
１    ランプ
２    配光制御手段
３    器具本体
４    ランプソケット
９    透光部
１０    配光制御部
１１    略プリズム状拡散部
【図１】
0003622223.tif 000002
【図２】
0003622223.tif 000003
【図３】
0003622223.tif 000004
【図４】
0003622223.tif 000005
【図５】
0003622223.tif 000006
【図６】
0003622223.tif 000007
【図７】
0003622223.tif 000008
【図８】
0003622223.tif 000009